(57)【要約】      （修正有）【課題】ギター等の弦楽器のブリッジピンの先端を加工することにより弦を巻き上げてもエンドボールによって破損することのないブリッジピンを提供する。【解決手段】ブリッジ６のブリッジピン挿入穴８の上方から挿入してナットとブリッジの間に張設された複数の弦７の一端を固定するギターのブリッジピン９であって、ブリッジピン挿入部は頭部から先端に向かってテーパー状に形成され、軸方向に沿って弦を挿通する収容溝を備えるとともにブリッジピン挿入穴の下方から突出したブリッジピン挿入部１１の一部を切削加工して弦の一端にかかる力をブリッジピン挿入穴の下方から突出したブリッジピン挿入部１１の切削加工した部分に及ぼす構造とする。【選択図】図２
0003166970.tif 000002
【実用新案登録請求の範囲】
【請求項１】
ブリッジのブリッジピン挿入穴の上方から挿入してナットとブリッジの間に張設された複数の弦の一端を固定するギターのブリッジピンであって、ブリッジピン挿入部は頭部から先端に向かってテーパー状に形成され、軸方向に沿って前記弦を挿通する収容溝を備えるとともに前記ブリッジピン挿入穴の下方から突出したブリッジピン挿入部の一部を切削加工して前記弦の一端にかかる力を前記ブリッジピン挿入穴の下方から突出したブリッジピン挿入部の切削加工した部分に及ぼす構造としたことを特徴とするギターのブリッジピン。
【請求項２】
前記ブリッジピン挿入穴の下方から突出したブリッジピン挿入部は、前記弦を挿通する収容溝を削除することにより前記ブリッジピン挿入穴の下方から突出したブリッジピン挿入部を強固にしたことを特徴とする請求項１に記載のギターのブリッジピン。
【請求項３】
前記ブリッジピン挿入穴の下方から突出したブリッジピン挿入部は、前記テーパー状の形成を止めて一定の太さにすることにより前記ブリッジピン挿入穴の下方から突出したブリッジピン挿入部を強固にしたことを特徴とする請求項１又は請求項２に記載のギターのブリッジピン。
【考案の詳細な説明】
【技術分野】
【０００１】
本考案は、弦を楽器本体に接触しない位置で保持し、弦の振動を効率よく胴に伝えるためのブリッジに用いられ、ブリッジピン挿入穴に挿入して弦の一端を固定するギターのブリッジピンに関する。
【背景技術】
【０００２】
従来から、ギターなどの弦楽器においては、図５に示すように、ブリッジ１０１のブリッジピン挿入穴１０２に弦１０３のエンドボール１０４を挿通し、エンドボール１０４に連結された弦１０３を固定するブリッジピン１０５が知られている。ブリッジピン１０５は、図４（ａ）に示すように、ブリッジピン挿入穴１０２に挿入され、弦１０３を固定するもので、プラスチック製或いは木製等の材質からなり、楔状のテーパー部１０６には軸方向に沿って弦１０３を収容する収容溝１０７が形成されている（特許文献１）。
【先行技術文献】
【特許文献】
【０００３】
【特許文献１】特開２００１−１４２４５５号公報
【考案の概要】
【考案が解決しようとする課題】
【０００４】
ところで、ギターの弦１０３を調律するにはヘッドに取り付けられたペグによって弦の張力を調整するが、弦を巻き上げる力が強すぎると弦１０３のエンドボール１０４がブリッジピン１０５の収容溝１０７により細くなっているテーパー部１０６に当たり、図４（ｂ）に示すように、エンドボール１０４によってブリッジピン１０５が破損することがある。ブリッジピン１０５が破損するとエンドボール１０４に連結された弦１０３の固定が緩み、演奏の途中で音程が狂ったり、弦１０３を巻き上げても調整できないという問題が発生した。
【０００５】
本考案は上記のような問題点に鑑みてなされたもので、ブリッジピンの先端を加工することにより弦を巻き上げてもエンドボールによって破損することのないブリッジピンを提供することを目的とする。
【課題を解決するための手段】
【０００６】
上記目的を達成するため、請求項１の考案は、ブリッジのブリッジピン挿入穴の上方から挿入してナットとブリッジの間に張設された複数の弦の一端を固定するギターのブリッジピンであって、ブリッジピン挿入部は頭部から先端に向かってテーパー状に形成され、軸方向に沿って弦を挿通する収容溝を備えるとともにブリッジピン挿入穴の下方から突出したブリッジピン挿入部の一部を切削加工して弦の一端にかかる力をブリッジピン挿入穴の下方から突出したブリッジピン挿入部の切削加工した部分に及ぼす構造としたことを特徴とするものである。
【０００７】
また、請求項２の考案は、請求項１に記載のギターのブリッジピンであって、ブリッジピン挿入穴の下方から突出したブリッジピン挿入部は、弦を挿通する収容溝を削除することによりブリッジピン挿入穴の下方から突出したブリッジピン挿入部を強固にしたことを特徴とするものである。
【０００８】
また、請求項３の考案は、請求項１又は請求項２に記載のギターのブリッジピンであって、ブリッジピン挿入穴の下方から突出したブリッジピン挿入部は、テーパー状の形成を止めて一定の太さにすることによりブリッジピン挿入穴の下方から突出したブリッジピン挿入部を強固にしたことを特徴とするものである。
【考案の効果】
【０００９】
本考案によれば、ブリッジのブリッジピン挿入穴の上方から挿入して複数の弦の一端を固定するギターのブリッジピン挿入部は、頭部から先端に向かってテーパー状に形成され、軸方向に沿って弦を挿通する収容溝を備えるとともにブリッジピン挿入穴の下方から突出したブリッジピン挿入部の一部を切削加工したので、弦の一端にかかる力をブリッジピン挿入穴の下方から突出したブリッジピン挿入部の切削加工した部分に及ぼすことができ、ギターの弦を調律するために弦を巻き上げてもエンドボールによってブリッジピンのテーパ部が破損することがない。
【００１０】
また、ブリッジピン挿入穴の下方から突出したブリッジピン挿入部は、弦を挿通する収容溝を削除したので、ブリッジピン挿入穴の下方から突出したブリッジピン挿入部を強固にしてブリッジピンの強度を高めることができる。
【００１１】
また、ブリッジピン挿入穴の下方から突出したブリッジピン挿入部は、テーパー状の形成を止めて一定の太さにしたので、ブリッジピン挿入穴の下方から突出したブリッジピン挿入部を強固にしてブリッジピンの強度を高めることができる。
【図面の簡単な説明】
【００１２】
【図１】本考案のブリッジピンを示し、（ａ）は斜視図、（ｂ）は中央縦断面図である。
【図２】本考案のブリッジピンを用いたブリッジ機構の説明図である。
【図３】ギターの全体図である。
【図４】従来のブリッジピンを示し、（ａ）は正常状態、（ｂ）は破損状態を示す斜視図である。
【図５】従来のブリッジピンを用いたブリッジ機構の説明図である。
【考案を実施するための形態】
【実施例】
【００１３】
以下、添付の図面に従って本考案を詳細に説明する。ギターなどの弦楽器は、図３に示すように、ヘッド２とネック３との境界部分に取り付けられたナット５と共鳴胴４に取り付けられたブリッジ６の間に複数の弦７が張られ、これらの弦７の一端はブリッジ６のブリッジピン挿入穴８に挿入されたブリッジピン９により固定され、他端はヘッド２に取り付けられたペグ１により巻き上げられ張力が調整され、開放弦の音程が決められる。そして、ネック３の指板の上に特定の間隔に埋め込まれた多数のフレット１０を設け、このフレット１０の間を指で押さえ、振動する弦の長さを変えることにより音程を変え演奏が行われる。
【００１４】
ブリッジピン９は、図１（ａ）に示すように、プラスチック製或いは木製等の材質からなり、ブリッジピン挿入部１１は、頭部１２の根元から先端に向かってテーパー状に形成され、軸方向に沿って弦７を挿通する収容溝１３を備えている。
【００１５】
一方、ブリッジピン挿入穴８は、ブリッジピン９を挿入し易いように、上部の径は大きく、下部の径は小さく、ブリッジピン９のテーパー状に合わせて穿設されている。
【００１６】
また、ブリッジピン９は、ブリッジピン挿入穴８の上方から挿入したときブリッジピン挿入穴８の下方から突出したブリッジピン挿入部の一部１１ａを切削加工して、弦７の一端にかかる力をブリッジピン挿入穴８の下方から突出したブリッジピン挿入部の切削加工した部分に及ぼす構造とする。
【００１７】
更に、ブリッジ６のブリッジピン挿入穴８に挿入され、下方から突出したブリッジピン挿入部１１は、図１（ｂ）に示すように、弦７を挿通する収容溝１３を削除することによりブリッジピン挿入穴８の下方から突出したブリッジピン挿入部を強固にする。
【００１８】
更にまた、ブリッジピン９のテーパー状の形成は、頭部１２の根元からブリッジピン挿入穴８の下方までとし、ブリッジピン挿入穴８の下方から突出したブリッジピン挿入部は、図１（ａ）、（ｂ）に示すように、テーパー状の形成を止めて一定の太さにすることによりブリッジピン挿入穴８の下方から突出したブリッジピン挿入部を強固にする。
【００１９】
頭部１２は、通常は球形状に形成されていて、ブリッジピン９を引き抜く際の手掛かりとなる機能を有している。頭部１２の中央に白蝶貝ドット１４を埋め込み、ギターの外周やヘッド、サウンドホール周り、フィンガーボード周り等に、同様の素材が使用されているギターに適応することができる。
【００２０】
このようなブリッジピン９を用いて弦を張設する動作を説明する。ブリッジ６は、図２に示すように、ギターの共鳴胴４に固着され、ブリッジピン挿入穴８が穿設されている。ブリッジピン挿入穴８の上方から弦７の一端に連結されたエンドボール７ａを挿入し、その後からブリッジピン９をブリッジピン挿入穴８の上方から挿入するとエンドボール７ａはブリッジピン挿入穴８の下方から突出したブリッジピン挿入部１１に当たる。なお、ブリッジピン挿入穴８に挿入された弦７はブリッジピン挿入部１１に備えた収容溝１３の中を挿通するので、ブリッジピン９をブリッジピン挿入穴８にしっかりと嵌め合わせることができる。
【００２１】
弦７の張設は、ヘッド２に取り付けられたペグ１により弦７の他端を巻き上げて張設する。弦７がペグ１により巻き上げられると弦７の一端に連結されたエンドボール７ａがブリッジピン挿入穴８の下方から突出したブリッジピン挿入部１１の切削加工した一部１１ａに当たり、弦７の一端にかかる力をブリッジピン挿入穴８の下方から突出したブリッジピン挿入部１１の切削加工した部分に及ぼすようにした。
【００２２】
弦７の一端にかかる力をブリッジピン挿入穴８の下方から突出したブリッジピン挿入部１１の切削加工した部分に及ぼす構造としても、ブリッジピン挿入穴８の下方から突出したブリッジピン挿入部１１の一部１１ａを切削加工し、弦７を挿通する収容溝１３を削除したので、ブリッジピン挿入穴８の下方から突出したブリッジピン挿入部１１は強固になり、ブリッジピン９が破損することはない。
【００２３】
また、ブリッジピン９のテーパー状の形成は、頭部１２の根元からブリッジピン挿入穴８の下方までとし、ブリッジピン挿入穴８の下方から突出したブリッジピン挿入部１１は、テーパー状の形成を止めて一定の太さにしたので、ブリッジピン挿入穴８の下方から突出したブリッジピン挿入部１１は更に強固になり、ブリッジピン９が破損することはない。
【符号の説明】
【００２４】
６  ブリッジ
７  弦
７ａ  弦の一端（エンドボール）
８  ブリッジピン挿入穴
９  ブリッジピン
１１  ブリッジピン挿入部
１１ａ  ブリッジピン挿入穴の下方から突出したブリッジピン挿入部の一部
１２  頭部
１３  収容溝
【図１】
0003166970.tif 000003
【図２】
0003166970.tif 000004
【図３】
0003166970.tif 000005
【図４】
0003166970.tif 000006
【図５】
0003166970.tif 000007